(57)【要約】【課題】内側ポットに表示された広告や装飾を外側ポットと水を介して視認可能にすることによって、斬新な広告効果などを発揮する。【解決手段】回転ディスプレイ１は、上部を開放し底部２及び側部３を有し、前記底部２内面の中央に支持突起４を設けた透視可能な外側ポット５と、この外側ポット５内に該外側ポット５との間に所定の空隙１０ａをおいて回転可能に収容しうるように、上部を開放し、底部６及び所定の広告表示や装飾を施した側部９を有する円筒状に形成し、前記底部６外面の中央に、前記支持突起４に回転可能に嵌合する嵌合穴１１を設けた内側ポット１２とから構成する。前記空隙１０ａには水１０を収容する。内側ポット１２が水１０の浮力を受けてスムーズに回転し、かつ水１０のレンズ効果によって広告や装飾を見て楽しめる。【選択図】　　　　図２
2004101613.tif 000002
【特許請求の範囲】
【請求項１】
上部を開放し、底部及び側部を有する筒状に形成し、前記底部内面の中央に支持突起を設けた透視可能な外側ポットと、この外側ポット内に、外側ポットとの間に所定の空隙をおいて回転可能に収容しうるように、上部を開放し、底部及び所定の広告表示や装飾を施した側部を有する筒状に形成するとともに、その底部外面の中央に、前記外側ポットの支持突起に回転可能に嵌合する嵌合穴を設けた内側ポットとから構成した回転ディスプレイ。
【請求項２】
内側ポットと外側ポットとの各側部間に形成された空隙に透視可能な液体を収容したことを特徴とする請求項１に記載した回転ディスプレイ。
【請求項３】
内側ポット内に、見て楽しい装飾品を収容したことを特徴とする請求項２に記載の回転ディスプレイ。
【請求項４】
内側ポット内に、消臭器あるいは芳香器を収容したことを特徴とする請求項２に記載の回転ディスプレイ。
【発明の詳細な説明】
【０００１】
【発明が属する技術分野】
本発明は、広告、宣伝あるいは屋内装飾品として利用すると好適な回転ディスプレイに関する。
【０００２】
【従来の技術】
従来から回転ディスプレイは、種々提案されているが、表面に文字や記号あるいは図柄などを表示した回転体を回転させることによって、人目を引くように構成したものが一般的であった（例えば、特許文献１参照）。
【０００３】
【特許文献１】
特表２００２−５０３８３１（図１）
【０００４】
【発明が解決しようとする課題】
従来の回転ディスプレイにあっては、回転体の回転機構が複雑で、製造費が高いという問題があった。また、回転体を回転させて表示部を動かすものはその種類が多く、現在ではありふれたものであり、期待するほどの広告効果などを発揮できないという問題があった。
【０００５】
本発明は上記各問題を解消することを課題とし、該課題を解決した回転ディスプレイを提供することを目的とする。
【０００６】
【課題を解決するための手段】
上記目的を達成するために、請求項１に記載した本発明の回転ディスプレイは、上部を開放し、底部及び側部を有する筒状に形成し、前記底部内面の中央に支持突起を設けた透視可能な外側ポットと、この外側ポット内に、外側ポットとの間に所定の空隙をおいて回転可能に収容しうるように、上部を開放し、底部及び所定の広告表示や装飾を施した側部を有する筒状に形成するとともに、その底部外面の中央に、前記外側ポットの支持突起に回転可能に嵌合する嵌合穴を設けた内側ポットとから構成したものである。
【０００７】
また、請求項２に記載した本発明の回転ディスプレイは、請求項１の構成に加えて、内側ポットと外側ポットとの各側部間に形成された空隙に透視可能な液体を収容したことを特徴とするものである。
【０００８】
さらに、請求項３に記載した本発明の回転ディスプレイは、請求項２に記載の内側ポット内に、見て楽しい装飾品を収容したことを特徴とするものである。
【０００９】
さらに、請求項４に記載した本発明の回転ディスプレイは、請求項２に記載の内側ポット内に、消臭器あるいは芳香器を収容したことを特徴とするものである。
【００１０】
【発明の実施の形態】
以下に、本発明の実施形態を添付図面の図１〜図２に基づいて説明する。ここにおいて、図１は組み立て途中を示す斜視図、図２は外側ポットと内側ポットを切り欠いてそれらの内側を示す正面図である。
【００１１】
図１及び図２に示すように、回転ディスプレイ１は、上部を開放し底部２及び側部３を有する円筒状に形成し、前記底部２内面の中央にほぼ倒円錐形状の支持突起４を設けた透視可能な外側ポット５と、上部を開放し、底部６及び所定の広告表示７ａや装飾７ｂ，７ｃを表示したシール８を貼着した側部９を有する円筒状に形成し、前記外側ポット５内に該外側ポット５との間に所定の空隙１０をおいて回転可能に収容しうる大きさとなし、前記底部６外面の中央に、前記外側ポット５の支持突起４に回転可能に嵌合する嵌合穴１１を設けた内側ポット１２とから構成する。この嵌合穴１１は、内側ポット１２の底部６の中央外面に設けた膨出部１１ａに穿設してある。前記シール８裏面には、水に付けても貼着状態を維持し、必要に応じて剥離可能な接着剤を塗布してある。
【００１２】
図１及び図２に示すように、外側ポット５内には透視可能な液体である水１０を適量入れてあり、内側ポット１２を収容することによって、それぞれの側部３，９間及び底部２，６間にそれぞれ形成された空隙１０ａに、前記水１０が充てんされるものである。
【００１３】
図１及び図２に示すように、内側ポット１２内には、見て楽しい装飾品である観葉植物を植えた植木鉢１３を収容する。この植木鉢１３は、このように装飾品であるとともに、外側ポット５に充てんした水１０の浮力によって内側ポット１２が浮き上がらないようにするための重りの役目をするもので、その重さは、内側ポット１２が外側ポット５に充てんした水１０の浮力を受けて、外側ポット５の支持突起４に対して、嵌合穴１１を介して内側ポット１２が軽く乗る状態となる程度とする。
【００１４】
図２に示すように、外側ポット５と内側ポット１２の各上縁には、それぞれ帯状の縁部５ａ，１２ａを形成し、外側ポット５内に内側ポット１２が収容された状態において、前記内側ポット１２の縁部１２ａ外周と、外側ポット５の内周面間には若干の間隔１４が存在するようにする。
【００１５】
図１に示すように、上記回転ディスプレイ１の組み立ては、水１０を適量入れた外側ポット５内に内側ポット１２を収容するとともに、該内側ポット５内に植木鉢１３を収容するものである。このような組み立て状態にあっては、外側ポット５の支持突起４に内側ポット５の嵌合穴１１が嵌合し、内側ポット１２が外側ポット５に充てんした水１０の浮力を受けて、内側ポット１２の底部６が外側ポット５の底部２に中央部の一点で軽く乗る状態となり、内側ポット５は、外側ポット１２に対して回転可能となる。
【００１６】
以上のように構成した回転ディスプレイ１は、卓上などに置くと、外側ポット５の透視可能な側部３及び水１０を透して、内側ポット１２の側部に表示された所定の広告表示７ａや装飾７ｂ，７ｃを視認することができる。この視認に際し、広告表示７ａや装飾７ｂ，７ｃは、水１０を透して視認するので、水１０のレンズ効果によって拡大されたり変形して、従来には見られない変わった面白さが発揮される。また、内側ポット１２あるいは植木鉢１４に手で回転力を与えると、内側ポット１２が植木鉢１４とともに回転し、前記面白さが増大する。さらに、前記回転ディスプレイ１は、裏面に剥離可能な接着剤を塗布したシール８を交換できるので、表示内容を変更することが可能であるという利点がある。
【００１７】
なお、本発明は、上記各実施形態になんら限定されるものではなく、例えば、外側ポット５と内側ポット１２間の空隙１０ａに入れる透視可能な液体は、着色したものであってもよいほか、水１０でなくてもよい。また、回転ディスプレイ１を発光する台座に載せ、台座からの光を水１０に当てるようにして、暗い場所で目立つように構成してもよいうえ、内側ポット１２を、動力などを用いて連続回転するように構成してもよい。これらの場合、広告宣伝効果がより向上する。さらに、外側ポット５あるいは内側ポット１２は円筒状でなく角筒状に構成してもよい。
【００１８】
【発明の効果】
以上説明したように、請求項１に記載した本発明によれば、外側ポットを介して内側ポットに表示された広告や装飾が視認可能であるとともに、内側ポットが回転可能なので、従来のものにはない目新しさがあるという効果を奏する。
【００１９】
また、請求項２に記載した本発明によれば、請求項１に記載の本発明の効果に加えて、内側ポットが外側ポットに充てんした水の浮力を受けて、内側ポットの底部が外側ポットの底部に中央部の一点で軽く乗る状態となり、内側ポットは、外側ポットに対してスムーズに回転し、また、広告や模様を視認するに際し、水を透すので、水のレンズ効果によって、広告や模様が拡大されたり変形して、従来には見られない変わった面白さを発揮するという効果を奏する。
【００２０】
さらに、請求項３に記載した本発明は、請求項２に記載の本発明の効果に加えて、内側ポットの側面の表示内容のほかに、見て楽しい装飾品を楽しむことができるという効果を奏する。
【００２１】
さらにまた、請求項４に記載した本発明は、請求項２に記載の本発明の効果に加えて、室内などに配置すれば、消臭効果を得たり、室内に芳香を放つことが可能であるという効果を奏する。
【図面の簡単な説明】
【図１】組み立て途中を示す斜視図。
【図２】外側ポットと内側ポットを切り欠いてそれらの内側を示す正面図。
【符号の説明】
１　回転ディスプレイ
２　外側ポットの底部
３　同じく側部
４　支持突起
５　外側ポット
６　内側ポットの底部
７ａ　広告表示
７ｂ　模様
７ｃ　模様
８　表示シール
９　内側ポットの側部
１０　水
１０ａ　空隙
１１　嵌合穴
１２　内側ポット
１３　植木鉢
１４　間隙
【図１】
2004101613.tif 000003
【図２】
2004101613.tif 000004